(57)【要約】【課題】  レンズ鏡筒内に設けられた表示板の距離目盛の視認性を向上させる。【解決手段】  レンズ鏡筒１０に対して回転可能に設けられ、回転操作量に応じて所定の撮影条件を変更する操作環１０１と、レンズ鏡筒１０の外周面よりも内側に配設され、操作環１０１の回転操作量に応じた撮影条件を報知するための表示情報が記された表示板１３と、撮影者が表示情報を観察可能なようにレンズ鏡筒１０の周面に開口された窓部１２と、表示情報の視認性が向上するように窓部１２に配設された光学部材１６とを備える。【選択図】図２
2005266675.tif 000002
【特許請求の範囲】
【請求項１】
レンズ鏡筒に対して回転可能に設けられ、回転操作量に応じて所定の撮影条件を変更する操作環と、
前記レンズ鏡筒の外周面よりも内側に配設され、前記操作環の回転操作量に応じた撮影条件を報知するための表示情報が記された表示板と、
撮影者が前記表示情報を観察可能なように前記レンズ鏡筒の周面に開口された窓部と、
前記表示情報の目視像を近づけ、もしくは拡大するように前記窓部に配設された光学部材とを備えることを特徴とするレンズ鏡筒。
【請求項２】
レンズ鏡筒に対して回転可能に設けられ、回転操作量に応じて所定の撮影条件を変更する操作環と、
前記レンズ鏡筒の外周面よりも内側に配設され、前記操作環の回転操作量に応じた撮影条件を報知するための表示情報が記された表示板と、
撮影者が前記表示情報を観察可能なように前記レンズ鏡筒の周面に開口された窓部と、
前記表示情報の目視像を近づけ、もしくは拡大するように前記表示板と前記窓部の間に配設された光学部材とを備えることを特徴とするレンズ鏡筒。
【請求項３】
請求項１または２に記載のレンズ鏡筒において、
さらに前記レンズ鏡筒の外周面よりも内側に、前記操作環の操作によらずに前記撮影条件を変更するための駆動機器が配設され、
前記表示板は前記駆動機器によって回転するように配設されることを特徴とするレンズ鏡筒。
【請求項４】
請求項１〜３のいずれか１項記載のレンズ鏡筒において、
前記光学部材は、光学レンズであることを特徴とするレンズ鏡筒。
【請求項５】
請求項４に記載のレンズ鏡筒において、
前記光学レンズは、前記レンズ鏡筒光軸方向の曲率が前記レンズ鏡筒周方向の曲率より大きい凸面形状に形成されることを特徴とするレンズ鏡筒。
【請求項６】
請求項５に記載のレンズ鏡筒において、
前記光学レンズは、前記表示情報の目視像を前記レンズ鏡筒光軸方向に拡大するような光学特性を有するシリンドリカルレンズであることを特徴とするレンズ鏡筒。
【請求項７】
請求項４に記載のレンズ鏡筒において、
前記光学レンズは、薄板状の可撓性材料で作成されるフレネルレンズであることを特徴とするレンズ鏡筒。
【請求項８】
請求項１〜３のいずれか１項記載のレンズ鏡筒において、
前記光学部材は、少なくとも内周面と外周面が異なった曲率を有する周方向に厚さ一定の円弧状プレートであることを特徴とするレンズ鏡筒。
【発明の詳細な説明】
【技術分野】
【０００１】
本発明は、一眼レフカメラの交換レンズ等、撮影条件の表示用の窓部を有するレンズ鏡筒に関する。
【背景技術】
【０００２】
この種のレンズ鏡筒として、交換レンズのレンズ鏡筒の周面に周方向細長状に窓部を設け、この窓部を介してフォーカス環の操作に連動する距離目盛を観察するようにしたものが知られている（例えば特許文献１参照）。これによればレンズ鏡筒の内側の内部固定筒に、距離目盛を付した板部材を固設し、この板部材を外径側に膨出させ、距離目盛を窓部に接近させて距離目盛の視認性を高めるようにしている。
【０００３】
【特許文献１】特開２０００−５６２０４号公報
【発明の開示】
【発明が解決しようとする課題】
【０００４】
しかしながら、上記公報記載の装置のように板部材を外径側に膨出させる構成では、板部材と窓部の間に部品を介在させることができず、レイアウト上の制約が大きい。そのため、例えばレンズ鏡筒内にフォーカス駆動用の超音波モータを組み込んだ場合には、超音波モータとフォーカス環を連結する連結環との干渉を避けるために板部材を光軸方向にずらす必要があり、レンズ構造が必要以上に長尺化する。
【課題を解決するための手段】
【０００５】
本発明によるレンズ鏡筒は、レンズ鏡筒に対して回転可能に設けられ、回転操作量に応じて所定の撮影条件を変更する操作環と、レンズ鏡筒の外周面よりも内側に配設され、操作環の回転操作量に応じた撮影条件を報知するための表示情報が記された表示板と、撮影者が表示情報を観察可能なようにレンズ鏡筒の周面に開口された窓部と、表示情報の目視像を近づけ、もしくは拡大するように窓部に配設された光学部材とを備えることを特徴とする。
表示情報の目視像を近づけ、もしくは拡大するように表示板と窓部の間に光学部材を配設することもできる。
さらにレンズ鏡筒の外周面よりも内側に、操作環の操作によらずに撮影条件を変更するための駆動機器を配設し、駆動機器によって表示板が回転するようにしてもよい。
光学部材を、光学レンズにより構成することもできる。この場合、レンズ鏡筒光軸方向の曲率をレンズ鏡筒周方向の曲率より大きい凸面状に形成することが好ましい。
また、光学レンズを、表示情報の目視像をレンズ鏡筒光軸方向に拡大するような光学特性を有するシリンドリカルレンズとしてもよく、薄板状の可撓性材料で作成されるフレネルレンズとしてもよい。
光学部材を、少なくとも内周面と外周面が異なった曲率を有する周方向に厚さ一定の円弧状プレートとしてもよい。
【発明の効果】
【０００６】
本発明によれば、撮影条件を報知するための表示情報が記された表示板をレンズ鏡筒の内側に配設し、レンズ鏡筒の窓部もしくは窓部と表示板の間に光学部材を設けるようにしたので、表示板を窓部に近接させることなく表示情報の視認性を容易に高めることができる。
【発明を実施するための最良の形態】
【０００７】
以下、図１〜図６を参照して本発明によるレンズ鏡筒の実施の形態について説明する。
図１は、本発明が適用される一眼レフカメラの交換レンズ１００を示す正面図である。交換レンズ１００には、円筒形状のフォーカス用操作環（フォーカス環）１０１が円筒形状のレンズ鏡筒１０に対して回転操作可能に取り付けられている。レンズ鏡筒１０の外周面には、周方向に細長に窓部１２が開口されている。レンズ鏡筒１０の内側には、フォーカス環１０１の操作に伴って回転する表示板１３が内蔵されている。表示板１３は光軸を中心とした所定曲率に湾曲して形成されており、その外周面上に撮影距離を表す目盛（以下、距離目盛）が記されている。交換レンズ１００は焦点を自動調節するオートフォーカス機構も備える。なお、１１は、フォーカスモード切換スイッチ、防振オンオフスイッチなどが配設されたスイッチブロックであり、スイッチブロック１１はレンズ鏡筒１０の外周面に装着される。交換レンズ１００は後端の連結部１５を介して不図示のカメラボディに装着される。
【０００８】
窓部１２の周方向中央部には固定目盛（指標）１４が付されている。撮影者は、窓部１２を介して固定目盛１４が示す表示板１３上の距離目盛を観察することで、現在の撮影距離を認識することができる。この場合、レンズ鏡筒１０内のレイアウト上の制約によって表示板１３は窓部１２から離して配設する必要があり、距離目盛の数値は見えにくくなる。そこで、本実施の形態では、窓部１２に光学部材としてのシリンドリカルレンズ１６を設け、視認性の向上を図る。
【０００９】
図２は、交換レンズ１００の光軸方向に沿った断面図である。レンズ鏡筒１０は、外径側に位置する外筒１０Ａと、この外筒１０Ａに対して同心円状に形成され、かつ外筒１０Ａに一体に設けられた内筒１０Ｂとを有し、二重環構造をなしている。内筒１０Ｂの内側には焦点調節のためのレンズ群２０が配置されている。レンズ群２０は保持部材２１により保持され、保持部材２１は内筒１０Ｂの内周部に前後方向（光軸方向）に移動可能に嵌合されている。内筒１０Ｂの外周部にはカム環２２が内筒１０Ｂに対して回転可能に嵌合されている。
【００１０】
図示は省略するが、保持部材２１の外周面には外径方向にカムピンが突設され、このカムピンは内筒１０Ｂの周面に光軸方向に設けられた直進溝を貫通し、カム環２２のカム溝に係合している。これによりカム環２２が回転すると、カム溝がカムピンを直進溝に沿って駆動する。その結果、カム環２２の回転量に応じてレンズ群２０が光軸方向に移動し、焦点調節が可能となる。
【００１１】
カム環２２の後方には、オートフォーカス機構の駆動機器を構成する超音波モータ３０が配設されている。超音波モータ３０は、圧電素子の弾性振動を駆動源とするモータであり、圧電素子３１ａおよび弾性体３１ｂとを有するステータ３１と、ステータ３１に加圧接触しつつ回転するロータ３３等により構成される。ステータ３１は内筒１０Ｂの外周部に回転可能で、かつ前後方向に移動不能に嵌合されている。ロータ３３はキー（不図示）によりカム環２２に一体に結合されている。これにより超音波モータ３０が駆動するとロータ３３が回転するとともにカム環２２が一体に回転し、レンズ群２０がフォーカシング駆動される。
【００１２】
フォーカス環１０１は超音波モータ３０の前方に位置し、外筒１０Ａとロータ３３の間に配設された円筒状の連結環４１，４２を介し、ステータ３１に連結されている。フォーカス環１０１を回転操作すると、その操作力が連結環４１，４２を介してステータ３１に伝達される。超音波モータ３０の非駆動時にはロータ３３の回転を阻止するような保持トルクが超音波モータ３０に発生するため、フォーカス環１０１の回転操作によりステータ３１がロータ３３と一体に回転する。これにより回転操作量に応じてカム環２２が回転し、手動で焦点調節を行うことができる。
【００１３】
ロータ３３の外周面には円環状の表示板１３が固設され、この表示板１３の径方向外側に窓部１２が開口されている。連結環４１は、少なくとも表示板１３と窓部１２の間の部位が透明な材質により形成され、撮影者は窓部１２および連結環４１を介して距離目盛を視認可能である。窓部１２には座グリ面１２ａが設けられ、この座グリ面１２ａに透明なシリンドリカルレンズ１６が接着されている。なお、表示板１３および連結環４１は全周にわたって設けるのではなく、周方向に必要範囲にのみ設けてもよい。
【００１４】
シリンドリカルレンズ１６は、外周面が光軸方向に凸状に形成され、内周面は光軸方向に平坦状に形成されている。また、このシリンドリカルレンズ１６は、図２のIII-III線断面図である図３（ａ）に示すように、周方向には厚さが一定で円弧状であり、内周面の曲率半径ｒ１は座グリ面１２ａの曲率半径と等しく形成され、かつ曲率半径ｒ１は外周面の曲率半径ｒ２と等しい（ｒ１＝ｒ２）。なお、曲率半径ｒ１，ｒ２は、レンズ鏡筒１０の外周面の曲率半径とほぼ等しい。このようなシリンドリカルレンズ１６によれば、凸形状を有しない単なるガラス板と比べ、光軸方向の正の屈折力が大きくなる。その結果、撮影者がレンズ１６を介して観察すると表示板１３の距離目盛の数値（目視像）がレンズ鏡筒光軸方向に拡大して見え、視認性が向上する。
【００１５】
したがって、目盛の視認性を向上させるためにレンズ構造を必要以上に長尺化することを防止できる。すなわち、連結環４１の前方を経由して外筒１０Ａの内周面に表示板１３を近接させる必要や、窓部１２および表示板１３をレンズ鏡筒光軸方向に拡大して設け、距離目盛の数値を表示板上で大きく記載するなどの必要はない。これによりレンズ鏡筒内部の部品レイアウトの自由度が広がる。
【００１６】
本実施の形態に係わるレンズ構造を有する交換レンズ１００は以下のように動作する。自動焦点調節モードにより撮影を行う場合には、フォーカスモード切換スイッチをＡＦモードに切り換える。図示しない焦点検出装置で算出されたデフォーカス量に応じてカメラボディ側の制御回路により超音波モータ３０が駆動され、ロータ３３およびカム環２２が回転動作する。この回転動作に応じてレンズ群２０が光軸方向にフォーカシング駆動され、合焦状態が実現されるとともに、撮影距離が変化する。
【００１７】
これに対し、焦点を手動調節する場合には、フォーカスモード切換スイッチをＭＦモードに切り換え、超音波モータ３０の駆動を停止する。この状態でフォーカス環１０１を回転操作すると、その操作力は連結環４１，４２を介して超音波モータ３０に伝達され、ステータ３１およびロータ３３が一体となって回転する。これによりカム環２２が回転するとともにレンズ群２０が光軸方向に移動し、フォーカス環１０１の操作による焦点調節が可能となる。
【００１８】
以上の自動および手動のフォーカス動作において、表示板１３はロータ３３とともに回転し、表示板１３の距離目盛に撮影距離が示される。この場合、距離目盛はシリンドリカルレンズ１６の光学特性によりレンズ鏡筒光軸方向に拡大して表示されるので、撮影者は撮影距離を容易に認識することができる。
【００１９】
以上の実施の形態によれば、以下のような作用効果を奏することができる。
（１）レンズ鏡筒１０の距離目盛観察用の窓部１２に、外周面が光軸方向に凸面形状のシリンドリカルレンズ１６を設けるようにしたので、距離目盛が光軸方向に拡大して見える。したがって、表示板１３を窓部１２に近接させなくても距離目盛の視認性が向上し、レンズ鏡筒１０が必要以上に長尺化することを防止できるとともに、レンズ鏡筒内の部品レイアウトの自由度が増す。
（２）表示板１３を外径側に配置することを目的として超音波モータ３０を大径化するといった必要がない。したがって、既存の超音波モータ３０を流用することができ、コストの上昇を抑えることができる。
（３）ロータ３３，表示板１３、およびカム環２２を全周にわたって設けるので、回転体の慣性モーメントの周方向のばらつきがなく、回転動作がスムーズである。
【００２０】
以上では、レンズ鏡筒１０の窓部１２にシリンドリカルレンズ１６を装着するようにしたが、少なくとも表示板１３よりも外径側で、かつ距離目盛の観察経路にレンズ１６を設けるのであれば、窓部１２以外に配設してもよい。例えば表示板１３と窓部１２の間にレンズ１６を設けるようにしてもよい。具体的には、図４に示すように連結環４１の外周面を光軸方向に凸面状に形成し、連結環４１の一部をシリンドリカルレンズ１６として構成してもよい。この場合、窓部１２には単なる保護ガラス１７を装着すればよい。
【００２１】
なお、シリンドリカルレンズ１６を周方向に円弧状とすることなく、図３（ｂ）に示すように平坦状としてもよい。この場合もシリンドリカルレンズ１６の外周面を光軸方向に凸面状に形成すれば、距離目盛の数値は光軸方向に拡大して表示され、視認性が向上する。図３（ｂ）のようにシリンドリカルレンズ１６を周方向に平坦状とすれば、レンズ１６の製作が容易である。
【００２２】
上記実施の形態では、レンズ鏡筒光軸方向のみに光を屈折させるシリンドリカルレンズ１６を用いたが、周方向に屈折させるものでもよい。また、例えば、図３（ｃ）に示すように、平凸レンズ１６１を用いてもよい。平凸レンズ１６１を用いれば、距離目盛の数値はレンズ鏡筒光軸方向だけでなく全ての方向に拡大され、距離目盛の視認性が一層向上する。この場合、例えば円形の平凸レンズの一部を窓部１２の形状に沿って切削加工することで細長状の凸レンズ１６１を製作することができる。
【００２３】
なお、距離目盛の視認性が向上するのであれば、レンズ形状はこれに限らず、両凸レンズや凹レンズ等の光学レンズでもよい。光学レンズを凸面状に形成し、そのレンズ鏡筒光軸方向の曲率をレンズ鏡筒周方向の曲率より大きくすれば、窓部１２が周方向に細長状である場合に、距離目盛の視認性を効率的に向上することができる。
【００２４】
シリンドリカルレンズ１６の代わりにフレネルレンズを用いてもよい。フレネルレンズは薄板状の可撓性材料で作成される湾曲可能なレンズである。したがって、例えば図５に示すようにフレネルレンズ１６２を連結環４１の外周面に沿って湾曲させて接着することができる。これにより凸レンズ１６１を用いたときと同様に距離目盛が拡大して表示され、しかも凸レンズ１６１を用いる場合に比べ、薄く、軽く、かつ安価に構成することができる。この場合、窓部１２に保護レンズ１７を装着すればよい。また、フレネルレンズ１６２は窓部１２に配置してもよい。
【００２５】
距離目盛の観察経路に配設されて距離目盛の視認性が向上するのであれば、レンズ以外の光学部材を用いてもよい。例えば図６（ａ）に示すように透明な材質により形成された厚さ一定の円環リングの一部を切り出してなる円弧状プレート１８をシリンドリカルレンズ１６の代わりに用いてもよい。このように形成した円弧状プレート１８の外周面の曲率半径は、内周面の曲率半径よりも大きい。したがって、円弧状プレート１８を介して距離目盛を観察すれば、目盛の数値が拡大して見える。また、図６（ｂ）に示すように板厚ｔの平行平板１９を用いてもよい。平行平板１９は距離目盛を拡大する機能はないが、観察者に近い位置に像が浮き上がる機能を有する。したがって、平行平板１９を介して距離目盛を観察すれば、板厚ｔが厚いほど距離目盛が近づいて見え、視認性が向上する。
【００２６】
上記実施の形態では、レンズ群２０の移動に連動して表示板１３を回転し、距離目盛の数値を変更するようにしたが、表示板１３を例えば液晶板により構成し、距離目盛の数値を電気的に変更するようにしてもよい。したがって、表示板１３を回転可能に設ける必要はなく、観察経路に回転不能に設けてもよい。すなわち、レンズ鏡筒１０の外周面よりも内側に表示板１３を設けるのであれば、表示板１３の取付位置は上述したものに限定されない。超音波モータ３０の駆動により自動焦点調節するようにしたが、他の駆動機器（例えばステップモータ）の駆動により焦点調節を行うようにしてもよい。また、手動操作のみで焦点調節するカメラ、すなわちレンズ用の駆動機器を有しないカメラとしてもよい。
【００２７】
上記実施の形態では、窓部１２を介して距離目盛の数値（目視像）を観察する場合について説明したが、撮影に関する他の表示情報を観察することもできる。また、撮影条件を変更するための操作環はフォーカス環１０１以外でもよく、例えばズーム環や絞り環でもよい。したがって、本発明における撮影条件は撮影距離に限らない。表示板１３の表示情報は、数字，文字，記号のいずれによりなされてもよい。上記実施の形態は、交換レンズ１００に適用したが、カメラボディと一体型のレンズ鏡筒にも適用可能である。すなわち、本発明の特徴、機能を実現できる限り、本発明は実施の形態のレンズ鏡筒に限定されない。
【図面の簡単な説明】
【００２８】
【図１】本発明が適用される一眼レフカメラの交換レンズを示す正面図。
【図２】図１の交換レンズの光軸方向に沿った断面図。
【図３】（ａ）は図２のIII-III線断面図、（ｂ）および（ｃ）はその変形例を示す図。
【図４】図２の一変形例を示す断面図。
【図５】図２の他の変形例を示す断面図。
【図６】（ａ）および（ｂ）はそれぞれ本発明の光学部材の変形例を示す斜視図。
【符号の説明】
【００２９】
１０  レンズ鏡筒                    １０Ａ  外筒
１０Ｂ  内筒                            １２  窓部
１３  表示板                          １６  シリンドリカルレンズ
１６１  平凸レンズ                    １６２  フレネルレンズ
１８  円弧状プレート                  ２０  レンズ群
２２  カムリング                      ３０  超音波モータ
３３  ロータ                          ４１連結環
１００  交換レンズ                    １０１  フォーカス環
【図１】
2005266675.tif 000003
【図２】
2005266675.tif 000004
【図３】
2005266675.tif 000005
【図４】
2005266675.tif 000006
【図５】
2005266675.tif 000007
【図６】
2005266675.tif 000008